【手続補正書】
【提出日】平成19年5月17日(2007.5.17)
【手続補正１】
【補正対象書類名】特許請求の範囲
【補正対象項目名】全文
【補正方法】変更
【補正の内容】
【特許請求の範囲】
【請求項１】
下記一般式（III）で表される化合物を含有することを特徴とする油性インクジェットインク。
【化Ａ】
2005325279.tif 000001
〔式中、Ｒ5は置換基を有しても良いベンジル基を表し、Ｒ6は直鎖もしくは分岐のアルキル基、または直鎖もしくは分岐のアルケニル基を表し、Ａは炭素数１〜４の直鎖もしくは分岐のアルキル基を表す。ｎ２は１または２を表す。〕
【請求項２】
下記一般式（IV）で表される化合物を含有することを特徴とする油性インクジェットインク。
【化Ｂ】
2005325279.tif 000002
〔式中、Ｒ7は直鎖もしくは分岐のアルキル基、または直鎖もしくは分岐のアルケニル基を表し、Ｒ8、Ｒ9はそれぞれ直鎖、分岐もしくは環状のアルキル基、または直鎖、分岐もしくは環状のアルケニル基を表す。ｎ３は２、３または４を表す。〕
【請求項３】
下記一般式（Ｉ）で表される化合物を含有することを特徴とする油性インクジェットインク。
【化Ｃ】
2005325279.tif 000003
〔式中、Ｒ1は水素原子、直鎖もしくは分岐のアルキル基、または直鎖もしくは分岐のアルケニル基を表し、Ｒ2は直鎖もしくは分岐アルキル基、または−（ＣＨ2）n1−ＣＯＯＲ3を表す。Ｒ3は直鎖もしくは分岐アルキル基を表し、ｎ１は１または２を表す。〕
【請求項４】
下記一般式（II）で表される化合物を含有することを特徴とする油性インクジェットインク。
【化Ｄ】
2005325279.tif 000004
〔式中、Ｒ3、Ｒ4はそれぞれ独立に環状構造を含むことができる直鎖もしくは分岐のアルキル基、または直鎖もしくは分岐のアルケニル基を表す。〕
【請求項５】
下記一般式（Ｖ）で表される化合物を含有することを特徴とする油性インクジェットインク。
【化５】
2005325279.tif 000005
〔式中、Ｒ10は直鎖もしくは分岐のアルキル基、または直鎖もしくは分岐のアルケニル基を表し、Ｒ11、Ｒ12はそれぞれ直鎖、分岐もしくは環状のアルキル基、または直鎖、分岐もしくは環状のアルケニル基を表す。ｎ４は２、３または４を表す。〕
【請求項６】
インク全質量に対する前記一般式（Ｉ）〜（Ｖ）から選ばれる少なくとも１種の化合物の添加量が、０．１質量％以上、２０質量％未満であることを特徴とする請求項１〜５のいずれか１項に記載の油性インクジェットインク。
【請求項７】
着色剤として顔料を含有することを特徴とする請求項１〜６のいずれか１項に記載の油性インクジェットインク。
【請求項８】
温度により可逆的にゾルゲル相転移することを特徴とする請求項１〜７のいずれか１項に記載の油性インクジェットインク。
【請求項９】
前記ゾルゲル相転移する温度が、３０℃以上、１００℃未満であることを特徴とする請求項８に記載の油性インクジェットインク。
【請求項１０】
請求項１〜９のいずれか１項に記載の油性インクジェットインクを用いて、記録媒体上に記録を行うインクジェット記録方法であって、記録ヘッド内での該油性インクジェットインクの温度と、該記録媒体の温度との温度差が１０℃以上あることを特徴とするインクジェット記録方法。
【請求項１１】
請求項１〜９のいずれか１項に記載の油性インクジェットインクを用いて、記録媒体上に記録を行うインクジェット記録方法であって、記録ヘッド内の該油性インクジェットインクを加熱することにより、記録ヘッド内での該油性インクジェットインクの温度と、該記録媒体の温度との温度差を１０℃以上とすることを特徴とするインクジェット記録方法。
【手続補正２】
【補正対象書類名】明細書
【補正対象項目名】００１２
【補正方法】変更
【補正の内容】
【００１２】
１．下記一般式（III）で表される化合物を含有することを特徴とする油性インクジェットインク。
２．下記一般式（IV）で表される化合物を含有することを特徴とする油性インクジェットインク。
３．下記一般式（Ｉ）で表される化合物を含有することを特徴とする油性インクジェットインク。
４．下記一般式（II）で表される化合物を含有することを特徴とする油性インクジェットインク。
５．下記一般式（Ｖ）で表される化合物を含有することを特徴とする油性インクジェットインク。
【手続補正３】
【補正対象書類名】明細書
【補正対象項目名】００１４
【補正方法】変更
【補正の内容】
【００１４】
〔式中、Ｒ1は水素原子、直鎖もしくは分岐のアルキル基、または直鎖もしくは分岐のアルケニル基を表し、Ｒ2は直鎖もしくは分岐アルキル基、または−（ＣＨ2）n1−ＣＯＯＲ3を表す。Ｒ3は直鎖もしくは分岐アルキル基を表し、ｎ１は１または２を表す。〕
【手続補正４】
【補正対象書類名】明細書
【補正対象項目名】００１６
【補正方法】変更
【補正の内容】
【００１６】
〔式中、Ｒ3、Ｒ4はそれぞれ独立に環状構造を含むことができる直鎖もしくは分岐のアルキル基、または直鎖もしくは分岐のアルケニル基を表す。〕
【手続補正５】
【補正対象書類名】明細書
【補正対象項目名】００１８
【補正方法】変更
【補正の内容】
【００１８】
〔式中、Ｒ5は置換基を有しても良いベンジル基を表し、Ｒ6は直鎖もしくは分岐のアルキル基、または直鎖もしくは分岐のアルケニル基を表し、Ａは炭素数１〜４の直鎖もしくは分岐のアルキル基を表す。ｎ２は１または２を表す。〕
【手続補正６】
【補正対象書類名】明細書
【補正対象項目名】００２０
【補正方法】変更
【補正の内容】
【００２０】
〔式中、Ｒ7は直鎖もしくは分岐のアルキル基、または直鎖もしくは分岐のアルケニル基を表し、Ｒ8、Ｒ9はそれぞれ直鎖、分岐もしくは環状のアルキル基、または直鎖、分岐もしくは環状のアルケニル基を表す。ｎ３は２、３または４を表す。〕
【手続補正７】
【補正対象書類名】明細書
【補正対象項目名】００２２
【補正方法】変更
【補正の内容】
【００２２】
〔式中、Ｒ10は直鎖もしくは分岐のアルキル基、または直鎖もしくは分岐のアルケニル基を表し、Ｒ11、Ｒ12はそれぞれ直鎖、分岐もしくは環状のアルキル基、または直鎖、分岐もしくは環状のアルケニル基を表す。ｎ４は２、３または４を表す。〕
６．インク全質量に対する前記一般式（Ｉ）〜（Ｖ）から選ばれる少なくとも１種の化合物の添加量が、０．１質量％以上、２０質量％未満であることを特徴とする１〜５のいずれか１項に記載の油性インクジェットインク。
【手続補正８】
【補正対象書類名】明細書
【補正対象項目名】００２３
【補正方法】変更
【補正の内容】
【００２３】
７．着色剤として顔料を含有することを特徴とする１〜６のいずれか１項に記載の油性インクジェットインク。
【手続補正９】
【補正対象書類名】明細書
【補正対象項目名】００２４
【補正方法】変更
【補正の内容】
【００２４】
８．温度により可逆的にゾルゲル相転移することを特徴とする１〜７のいずれか１項に記載の油性インクジェットインク。
【手続補正１０】
【補正対象書類名】明細書
【補正対象項目名】００２５
【補正方法】変更
【補正の内容】
【００２５】
９．前記ゾルゲル相転移する温度が、３０℃以上、１００℃未満であることを特徴とする８に記載の油性インクジェットインク。
【手続補正１１】
【補正対象書類名】明細書
【補正対象項目名】００２６
【補正方法】変更
【補正の内容】
【００２６】
１０．１〜９のいずれか１項に記載の油性インクジェットインクを用いて、記録媒体上に記録を行うインクジェット記録方法であって、記録ヘッド内での該油性インクジェットインクの温度と、該記録媒体の温度との温度差が１０℃以上あることを特徴とするインクジェット記録方法。
【手続補正１２】
【補正対象書類名】明細書
【補正対象項目名】００２７
【補正方法】変更
【補正の内容】
【００２７】
１１．１〜９のいずれか１項に記載の油性インクジェットインクを用いて、記録媒体上に記録を行うインクジェット記録方法であって、記録ヘッド内の該油性インクジェットインクを加熱することにより、記録ヘッド内での該油性インクジェットインクの温度と、該記録媒体の温度との温度差を１０℃以上とすることを特徴とするインクジェット記録方法。